(57)【要約】  複数個の移動通信装置間に移動経路を共有する方法において、複数個の移動通信装置のうち第１移動通信装置が、移動経路についての移動経路関連情報を生成し、複数個の移動通信装置が連結された中央サーバーへ、第１移動通信装置の移動経路関連情報を伝送し、中央サーバーへ伝送された第１移動通信装置の移動経路関連情報は、中央サーバーに連結された複数個の移動通信装置のうち少なくとも一つに提供される移動経路関連情報の生成、管理及び共有方法を提供する。
2013502576.tif 000002
【特許請求の範囲】
【請求項１】
複数個の移動通信装置間に移動経路関連情報を生成する方法において、
前記複数個の移動通信装置のうち第１移動通信装置が、前記第１移動通信装置の移動により発生した移動経路についての移動経路関連情報を生成するステップと、
前記複数個の移動通信装置が連結された中央サーバーへ、前記第１移動通信装置の移動経路関連情報を伝送するステップと、を含み、
前記中央サーバーへ伝送された前記第１移動通信装置の移動経路関連情報は、前記中央サーバーに連結された複数個の移動通信装置のうち少なくとも一つに提供されることを特徴とする複数個の移動通信装置の間に共有される移動経路情報生成方法。
【請求項２】
前記移動経路関連情報は、前記移動経路と関連したウェイポイント情報、ルート情報、及び付加情報を含むことを特徴とする請求項１に記載の複数個の移動通信装置の間に共有される移動経路情報生成方法。
【請求項３】
前記移動経路と関連したウェイポイント情報は、前記移動経路のうち選択された少なくとも一つの任意の地理的地点を表すことを特徴とする請求項２に記載の複数個の移動通信装置の間に共有される移動経路情報生成方法。
【請求項４】
前記移動経路と関連したルート情報は、前記移動経路のうち所定の区間上の連続的な地点の地理的座標、時間及び前記区間のうち少なくとも一つにより定義されることを特徴とする請求項２に記載の複数個の移動通信装置の間に共有される移動経路情報生成方法。
【請求項５】
前記移動経路と関連した付加情報は、前記第１移動通信装置の移動経路に関する行政的住所、通常的地名、隣近地域名所、前記第１移動通信装置のカメラ装置を通じて撮影された映像、前記第１移動通信装置の移動経路に関連した大衆交通手段の基準点、前記複数個の移動通信装置の中継所範囲、位置説明、交通状況に関する情報のうち少なくとも一つが収録されたテキストデータ、音声データ、及びビデオデータのうち少なくとも一つを含むことを特徴とする複数個の移動通信装置間に共有され、
前記移動経路と関連した付加情報は、前記第１移動通信装置のユーザーの入力またはウェブを通じて共有される資料によって更新されることを特徴とする請求項２に記載の複数個の移動通信装置の間に共有される移動経路情報生成方法。
【請求項６】
前記複数個の移動通信装置間に共有される移動経路情報生成方法は、
前記生成された移動経路関連情報をデータベースに保存するステップと、
前記生成された移動経路関連情報の移動経路を移動経路ヒストリーに登録するステップと、をさらに含むことを特徴とする請求項１に記載の複数個の移動通信装置の間に共有される移動経路情報生成方法。
【請求項７】
前記移動経路ヒストリー登録ステップは、
前記第１移動通信装置が新たな移動経路についての第１移動経路関連情報を生成した場合、
前記移動経路ヒストリーに登録された既存の移動経路のうち、前記第１移動経路関連情報の第１移動経路と類似した範囲に含まれる第２移動経路が登録されているか否かを判断するステップをさらに含むことを特徴とする請求項６に記載の複数個の移動通信装置の間に共有される移動経路情報生成方法。
【請求項８】
前記複数個の移動通信装置間に共有される移動経路情報生成方法は、
前記判断結果による前記第２移動経路が登録されているか否かによって、前記第１移動経路に基づいて、前記第２移動経路の統計データの累積データを更新し、前記累積データによる統計値を更新するステップをさらに含むことを特徴とする請求項７に記載の複数個の移動通信装置の間に共有される移動経路情報生成方法。
【請求項９】
前記複数個の移動通信装置間に共有される移動経路情報生成方法は、
前記第１移動経路が前記第２移動経路に沿って進むか否かをリアルタイムで比較して判断するステップと、
前記リアルタイム比較判断結果による前記第１移動経路が前記第２移動経路を離脱するか否かによって、前記第１移動通信装置の移動経路離脱知らせ動作を行うステップと、をさらに含むことを特徴とする請求項８に記載の複数個の移動通信装置の間に共有される移動経路情報生成方法。
【請求項１０】
複数個の移動通信装置間に移動経路を共有する方法において、
前記複数個の移動通信装置のうち第２移動通信装置が、前記複数個の移動通信装置が連結された中央サーバーから、前記複数個の移動通信装置のうち第１移動通信装置の移動により生成された移動経路についての移動経路関連情報を受信するステップと、
前記受信された第１移動通信装置の移動経路関連情報に基づいて、前記第２移動通信装置が移動経路案内を行うステップと、を含むことを特徴とする複数個の移動通信装置間の移動経路共有方法。
【請求項１１】
前記移動経路関連情報は、前記移動経路と関連したウェイポイント情報、ルート情報、及び付加情報を含むことを特徴とする請求項１０に記載の複数個の移動通信装置間の移動経路共有方法。
【請求項１２】
複数個の移動通信装置間に移動経路情報を生成する移動通信装置において、
前記複数個の移動通信装置のうち第１移動通信装置が、移動経路についての移動経路関連情報を生成する移動経路関連情報生成部と、
移動経路関連情報をデータベースに保存し、前記移動経路関連情報の移動経路を移動経路ヒストリーに登録する移動経路関連情報保存部と、
複数個の移動通信装置が連結された中央サーバーへ、前記生成された移動経路関連情報を伝送する移動経路関連情報伝送部と、を備え、
前記中央サーバーへ伝送された前記移動経路関連情報は、前記中央サーバーに連結された複数個の移動通信装置のうち少なくとも一つに提供されることを特徴とする移動通信装置。
【請求項１３】
複数個の移動通信装置間に移動経路を共有する地理的情報案内が可能な移動通信装置において、
複数個の移動通信装置が連結された中央サーバーから、前記複数個の移動通信装置のうち第１移動通信装置の移動により生成された移動経路についての移動経路関連情報を受信する移動経路関連情報受信部と、
前記受信された第１移動通信装置の移動経路関連情報に基づいて、移動経路案内を行う移動経路案内部と、を備えることを特徴とする移動通信装置。
【請求項１４】
請求項１に記載の複数個の移動通信装置間に共有される移動経路情報生成方法を具現するためのプログラムが記録されたコンピュータで読み取り可能な記録媒体。
【請求項１５】
請求項１０に記載の複数個の移動通信装置間の移動経路共有方法を具現するためのプログラムが記録されたコンピュータで読み取り可能な記録媒体。
【発明の詳細な説明】
【技術分野】
【０００１】
本発明は、移動通信装置による移動経路の共有及び管理に関する。
【背景技術】
【０００２】
ナビゲーションシステムは、現在の位置を考慮した移動経路を示す。人間の活動は、反復される傾向があるので、ナビゲーションの経路探索機能が実行される度に、新たな経路を探索する必要はない。
【０００３】
ナビゲーションシステムまたはインターネットサービスを通じた自動経路検索サービスが広く利用されている。しかし、人間の行為または習慣のように、電子的信号で表現できなかったり測定できない要素により移動経路が決定される場合もある。
【発明の概要】
【発明が解決しようとする課題】
【０００４】
本発明の目的は、移動経路を共有できる位置情報獲得が可能な移動通信装置を利用した移動経路関連情報の活用を提供することである。
【課題を解決するための手段】
【０００５】
本発明の一実施形態によって、複数個の移動通信装置間に移動経路関連情報を生成する方法は、前記複数個の移動通信装置のうち第１移動通信装置が、前記第１移動通信装置の移動により発生した移動経路についての移動経路関連情報を生成するステップと、前記複数個の移動通信装置が連結された中央サーバーへ、前記生成された第１移動通信装置の移動経路関連情報を伝送するステップと、を含み、前記中央サーバーへ伝送された前記第１移動通信装置の移動経路関連情報は、前記中央サーバーに連結された複数個の移動通信装置のうち少なくとも一つに提供される。
【０００６】
本発明の一実施形態による複数個の移動通信装置間に移動経路を共有する方法は、前記複数個の移動通信装置のうち第２移動通信装置が、前記複数個の移動通信装置が連結された中央サーバーから、前記複数個の移動通信装置のうち第１移動通信装置の移動により生成された移動経路についての移動経路関連情報を受信するステップと、前記受信された第１移動通信装置の移動経路関連情報に基づいて、前記第２移動通信装置が移動経路案内を行うステップと、を含む。
【０００７】
本発明の一実施形態によって、複数個の移動通信装置が連結された中央サーバーが前記移動通信装置の移動経路を管理する方法は、前記複数個の移動通信装置のうち第１移動通信装置から、移動経路と関連した地理的情報を受信するステップと、前記受信された地理的情報を含み、前記第１移動通信装置の移動経路と関連した付加情報を含む前記第１移動通信装置の移動経路関連情報を生成するステップと、前記複数個の移動通信装置のうち第２移動通信装置へ、前記第１移動通信装置の移動経路関連情報を伝送するステップと、を含む。
【０００８】
本発明の実施形態による前記移動経路関連情報は、前記移動経路と関連したウェイポイント情報、ルート情報、及び付加情報を含む。
【０００９】
本発明の実施形態による前記移動経路と関連したウェイポイント情報は、前記移動経路のうち少なくとも一つの地理的地点として定義される。本発明の実施形態による前記移動経路と関連したルート情報は、前記移動経路のうち連続的な地理的座標、時間及び所定の地点間の区間のうち少なくとも一つにより定義される。
【００１０】
本発明の実施形態による前記移動経路と関連した付加情報は、前記第１移動通信装置の移動経路に関する行政的住所、通常的地名、隣近地域名所、前記第１移動通信装置のカメラ装置を通じて撮影された映像、前記第１移動通信装置の移動経路に関連した大衆交通手段の基準点、前記複数個の移動通信装置の中継所範囲、位置説明、交通状況に関する情報のうち少なくとも一つが収録されたテキストデータ、音声データ、及びビデオデータのうち少なくとも一つを含む。
【００１１】
本発明の一実施形態による複数個の移動通信装置間に移動経路関連情報を生成する移動通信装置は、前記複数個の移動通信装置のうち第１移動通信装置が、移動経路についての移動経路関連情報を生成する移動経路情報生成部と、移動経路関連情報をデータベースに保存し、前記移動経路関連情報の移動経路を移動経路ヒストリーに登録する移動経路情報保存部と、複数個の移動通信装置が連結された中央サーバーへ、前記生成された移動経路関連情報を伝送する移動経路情報伝送部と、を備える。
【００１２】
本発明の一実施形態による複数個の移動通信装置間に移動経路を共有する地理的情報案内が可能な移動通信装置は、複数個の移動通信装置が連結された中央サーバーから、前記複数個の移動通信装置のうち、第１移動通信装置の移動により生成された移動経路についての移動経路関連情報を受信する移動経路情報受信部と、前記受信された第１移動通信装置の移動経路関連情報に基づいて、移動経路案内を行う移動経路案内部と、を備える。
【００１３】
本発明の一実施形態による複数個の移動通信装置が連結されて、前記移動通信装置の移動経路を管理する中央サーバーは、前記複数個の移動通信装置のうち第１移動通信装置から、移動経路についての地理的情報を受信する受信部と、前記受信された地理的情報を含み、前記第１移動通信装置の移動経路と関連した付加情報を含む前記第１移動通信装置の移動経路関連情報を生成するサーバー移動経路情報生成部と、前記複数個の移動通信装置のうち少なくとも一つの移動通信装置へ、前記第１移動通信装置の移動経路関連情報を伝送する移動経路関連情報伝送部と、を備える。
【００１４】
本発明は、本発明の一実施形態による複数個の移動通信装置間に共有される移動経路関連情報生成方法を具現するためのプログラムが記録されたコンピュータで読み取り可能な記録媒体を含む。
【００１５】
本発明は、本発明の一実施形態による複数個の移動通信装置間の移動経路関連情報共有方法を具現するためのプログラムが記録されたコンピュータで読み取り可能な記録媒体を含む。
【００１６】
本発明は、本発明の一実施形態による複数個の移動通信装置が連結された中央サーバーの移動経路管理方法を具現するためのプログラムが記録されたコンピュータで読み取り可能な記録媒体を含む。
【図面の簡単な説明】
【００１７】
【図１】本発明の第１実施形態によって、複数個の移動通信装置間の移動経路の共有が可能な移動通信装置のうち、移動経路関連情報を生成する第１移動通信装置を示すブロック図である。
【図２】本発明の第２実施形態によって、複数個の移動通信装置間の移動経路の共有のために、移動経路関連情報を管理する中央サーバーを示すブロック図である。
【図３】本発明の実施形態によって、複数個の移動通信装置間の移動経路共有が可能な移動通信装置のうち、移動経路関連情報を提供されて共有する第２移動通信装置を示すブロック図である。
【図４】本発明の第１実施形態によって、中央サーバーを通じた複数個の移動通信装置間の移動経路関連情報の共有ネットワークを示す図面である。
【図５】本発明の第２実施形態によって、中央サーバーを通じた複数個の移動通信装置間の移動経路関連情報の共有ネットワークを示す図面である。
【図６】本発明の実施形態による移動経路関連情報の共有方法を示す図面である。
【図７】本発明の実施形態による移動経路関連情報の共有方法を示す図面である。
【図８】本発明の実施形態による移動経路関連情報の共有方法を示す図面である。
【図９】本発明の実施形態による移動経路関連情報の共有方法を示す図面である。
【図１０】本発明の実施形態によって、付加情報を含む移動経路関連情報の共有方法を示す図面である。
【図１１】本発明の実施形態によって、付加情報を含む移動経路関連情報の共有方法を示す図面である。
【図１２】本発明の実施形態によって、付加情報を含む移動経路関連情報の共有方法を示す図面である。
【図１３】本発明の実施形態によって、移動経路ヒストリーに登録された経路を比較及び更新する方法を示す図面である。
【図１４】本発明の第１実施形態によって、複数個の移動通信装置間の移動経路の共有のために、移動経路関連情報を生成する方法のフローチャートである。
【図１５】本発明の第２実施形態によって、複数個の移動通信装置間の移動経路の共有のために、中央サーバーが移動経路関連情報を管理する方法のフローチャートである。
【図１６】本発明の実施形態によって、複数個の移動通信装置間の移動経路関連情報の共有によって、移動経路関連情報を提供されて共有する方法のフローチャートである。
【発明を実施するための形態】
【００１８】
以下、図１ないし図１６を参照して、本発明の一実施形態によって、位置情報を獲得でき、移動経路案内が可能な複数個の移動通信装置が連結された中央サーバーを通じて、移動通信装置間に移動経路関連情報を生成、管理及び共有する方法、並びに移動経路関連情報の共有ネットワークの構造について説明する。
【００１９】
以下、図１、図２及び図３を参照して、本発明の実施形態によって、複数個の移動通信装置が連結された中央サーバーを通じて、移動通信装置間の移動経路関連情報を共有するネットワーク構造の実施形態について述べる。具体的に、本発明の第１実施形態による移動経路関連情報共有ネットワークは、第１移動通信装置の移動により発生した移動経路についての移動経路関連情報を第１移動通信装置が生成して共有する。本発明の第２実施形態による移動経路関連情報共有ネットワークは、中央サーバーが生成した第１移動通信装置の移動経路関連情報を共有する。
【００２０】
また、以下、説明の便宜上、移動経路関連情報を提供する移動通信装置は、第１移動通信装置と称し、移動経路関連情報を提供される移動通信装置は、第２移動通信装置と称する。
【００２１】
以下、図１は、第１実施形態による移動経路関連情報を生成して提供する移動通信装置１００のブロック図であり、図２は、本発明の第２実施形態によって、移動経路関連情報を生成して管理する中央サーバー２００のブロック図であり、図３は、本発明の実施形態によって、移動経路関連情報を提供されて共有する移動通信装置３０のブロック図である。
【００２２】
まず、本発明の実施形態による移動経路関連情報について定義する。本発明の実施形態による移動経路関連情報は、移動経路と関連したウェイポイント情報、ルート情報、及び付加情報を含む。ウェイポイントは、特定の地点を表し、本発明の実施形態によるウェイポイント情報は、移動経路のうち選択された少なくとも一つの任意の地点を表す情報を含む。
【００２３】
ルートは、移動経路のうち所定の地点間の区間上の連続的な地理的位置を表し、移動通信装置のセンサーにより、周期的に測定された位置である。本発明の実施形態によるルート情報は、それぞれの地理的位置の座標情報、通過時間情報、及び該区間情報のうち少なくとも一つを含む。
【００２４】
本発明の実施形態による移動通信情報のウェイポイント情報及びルート情報は、衛星航法システム(Global Positioning System: GPS)信号を感知するセンサーにより獲得された位置情報、またはユーザーの入力により指定された地理的情報であってもよい。
【００２５】
本発明の実施形態による移動経路と関連した付加情報は、第１移動通信装置の移動経路のうち所定の地点と関連した各種の情報を含む。例えば、特定の地点を指す通常的地名、隣近地域名所の名称、道路名、行政的住所などが付加情報となる。
【００２６】
また、第１移動通信装置１００が通過した地域周辺のバス停留所、地下鉄駅などについての情報が、移動経路と関連した付加情報として利用される。その他、移動通信装置の中継所範囲に基づいた位置情報、及びユーザーにより入力された地理的説明などが、移動経路と関連した付加情報として利用される。
【００２７】
また、本発明の実施形態による移動経路と関連した付加情報は、交通状況のように、移動経路のうち所定の地点と関連してリアルタイムで変動する情報も含む。
【００２８】
また、本発明の実施形態による付加情報は、移動経路と関連したテキストデータ、音声データ、及びビデオデータなどの多様な資料を制限なしに含む。例えば、第１移動通信装置の撮像装置を利用して、移動経路のうち所定の地点を撮影した映像データまたはビデオデータ、所定の地点で録音した音声データが付加情報として利用されてもよい。また、ユーザーが所定の地点を説明するための位置説明情報が記録されたテキスト情報などが付加情報として利用されてもよい。
【００２９】
かかる付加情報は、ユーザーの入力により生成されるか、またはウェブを通じてダウンロードされる。
【００３０】
図１は、本発明の第１実施形態によって、複数個の移動通信装置間の移動経路共有が可能な移動通信装置のうち、移動経路関連情報を生成する第１移動通信装置のブロック図である。
【００３１】
第１実施形態によって、移動経路関連情報を生成して提供する第１移動通信装置１００は、移動経路関連情報生成部１１０、移動経路関連情報保存部１２０、及び移動経路関連情報伝送部１３０を備える。
【００３２】
第１実施形態による移動経路関連情報生成部１１０は、第１移動通信装置の移動により発生する移動経路についての移動経路関連情報を生成する。本発明の実施形態による移動経路関連情報は、第１移動通信装置の移動経路と関連したウェイポイント情報、ルート情報、及び付加情報を含む。
【００３３】
第１実施形態による移動経路と関連した付加情報は、第１移動通信装置１００のユーザーの入力により生成されて更新される。また、移動経路についての付加情報は、ウェブを通じてダウンロードされた共有資料であるか、またはウェブ上の資料についてのタグ情報を含んでもよい。第１実施形態による共有ネットワークの保安設定によって、移動経路についての付加情報は、共有ネットワーク上に登録された移動通信装置間にのみ共有されもする。第１実施形態による移動経路と関連した付加情報は、第１移動通信装置の移動経路関連情報を、中央サーバーに連結された相手側の移動通信装置が受信する時点に更新される。更新された付加情報は、第１実施形態による中央サーバーへ伝送されて、第１実施形態による中央サーバーを通じて相手側の移動通信装置に伝達される。
【００３４】
一実施形態による移動経路関連情報保存部１２０は、第１実施形態による移動経路関連情報生成部１１０により生成された移動経路関連情報をデータベースに保存する。第１実施形態による移動経路関連情報保存部１２０は、移動経路にインデックスを付与して保存する。特に、一実施形態による移動経路関連情報保存部１２０は、該移動経路を通過する頻度などを分析して、移動経路関連情報をデータベースに構築する。データベースの構築を通じて、個人の経路探索ノウハウまたは好む移動経路の性向を考慮した移動経路案内が可能になる。
【００３５】
第１実施形態による移動経路関連情報伝送部１３０は、第１実施形態によって、複数個の移動通信装置が連結された第１中央サーバーへ、移動経路関連情報を伝送する。第１中央サーバーへ伝送された第１移動通信装置１００の移動経路関連情報は、第１中央サーバーに連結された複数個の移動通信装置のうち少なくとも一つに提供される。
【００３６】
第１実施形態による移動経路関連情報伝送部１３０から、第１中央サーバーへ伝送された第１移動通信装置１００の移動経路関連情報は、第１中央サーバーに保存されていて、第１中央サーバーに連結された第２移動通信装置３０の提供要請によって呼び出されて、第２移動通信装置３０へ伝送される。
【００３７】
第１実施形態による移動経路関連情報伝送部１３０から、第１中央サーバーへ伝送された第１移動通信装置１００の移動経路関連情報は、第１中央サーバーを経て、第１中央サーバーに連結された第２移動通信装置３０へリアルタイムで伝送されてもよい。
【００３８】
また、第１実施形態による移動経路関連情報伝送部１３０から、第１中央サーバーに連結された複数個の移動通信装置のうち少なくとも一つへ、移動経路関連情報が直接伝送されてもよい。
【００３９】
移動経路関連情報の共有を所望する複数個の移動通信装置は、第１中央サーバーに対して認証されて登録される。また、第１中央サーバーに登録された複数個の移動通信装置のユーザーは、所定のグループの構成員である。例えば、家族構成員間に共同生活圏内で頻繁に利用する移動経路についての地理的情報を共有しようとする必要性が高い。この場合、家族構成員は、各自の移動通信装置をホームサーバーに認証して登録してはじめて、移動経路関連情報を共有することができる。
【００４０】
第１実施形態による移動経路関連情報保存部１２０は、生成された移動経路関連情報の移動経路を移動経路ヒストリーに登録する。移動経路ヒストリーに登録される移動経路は、ウェイポイント情報及びルート情報などの地理的情報で構成される。
【００４１】
第１実施形態による移動経路関連情報生成部１１０は、新たな移動経路についての第１移動経路関連情報を生成した場合、移動経路ヒストリーに登録された既存の移動経路のうち、第１移動経路関連情報の第１移動経路と類似した範囲に含まれる第２移動経路が登録されているか否かを判断する。
【００４２】
第１実施形態による移動経路関連情報生成部１１０が、第１移動経路と類似した第２移動経路が移動経路ヒストリーに登録されていないと決定すれば、第１実施形態による移動経路関連情報保存部１２０は、第１移動経路を移動経路ヒストリーに新たに登録する。第１実施形態による移動経路関連情報保存部１２０は、新たに登録された第１移動経路についての統計データを生成する。
【００４３】
第１実施形態による移動経路関連情報生成部１１０が、第１移動経路と類似した第２移動経路が移動経路ヒストリーに登録されていると決定すれば、第１実施形態による移動経路関連情報保存部１２０は、統計データの累積データを更新する。また、第１実施形態による移動経路関連情報保存部１２０は、第１移動経路に基づいて、第２移動経路の累積データによる統計値を更新する。
【００４４】
第１実施形態による移動経路関連情報生成部１１０は、現在の第１移動経路が第２移動経路に沿って進むか否かをリアルタイムで比較して判断する。第１実施形態による移動経路関連情報生成部１１０は、第１移動経路関連情報のうち、ウェイポイント情報及びルート情報のうち少なくとも一つに基づいて、第２移動経路関連情報のうち、ウェイポイント情報及びルート情報を比較する。
【００４５】
例えば、第１移動経路関連情報のうち、ウェイポイント情報及びルート情報のうち少なくとも一つによる経路、座標及び速度のうち少なくとも一つが、第２移動経路関連情報のうち、ウェイポイント情報及びルート情報についての正規分布を離脱するか否かが、移動経路離脱判定のための判断要素となる。
【００４６】
第１実施形態による移動経路関連情報生成部１１０の移動経路リアルタイム比較判断結果、第１移動経路が第２移動経路に沿って進んでいると決定されれば、更新された第１移動経路に基づいて、第２移動経路の統計データが更新される。
【００４７】
第１実施形態による移動経路関連情報生成部１１０の移動経路リアルタイム比較判断結果、第１移動経路が第２移動経路を離脱すると決定されれば、第１実施形態による第１移動通信装置１００は、移動経路離脱知らせ動作を行う。第１実施形態による移動経路離脱知らせ動作は、移動経路離脱警告音を出す動作、第１移動通信装置１００のディスプレイ画面上に移動経路離脱警告窓を表示する動作、移動経路離脱を知らせる振動動作などを含む。
【００４８】
第１移動通信装置１００のユーザーの入力により、第１移動経路が正常の移動経路関連情報に変更されれば、第１実施形態による移動経路関連情報保存部１２０は、第１移動経路に基づいて、第２移動経路の統計データの累積データを更新する。
【００４９】
図２は、本発明の第２実施形態によって、複数個の移動通信装置間の移動経路の共有のために、移動経路関連情報を管理する中央サーバーのブロック図である。
【００５０】
一実施形態による中央サーバー２００は、受信部２１０、サーバー移動経路関連情報生成部２２０、及びサーバー移動経路関連情報伝送部２３０を備える。中央サーバー２００には、複数個の移動通信装置が連結される。以下、説明の便宜上、第２実施形態による中央サーバー２００は、第２中央サーバー２００とも称する。
【００５１】
第２実施形態による中央サーバー２００は、複数個の移動通信装置を認証し、認証された移動通信装置を移動経路関連情報の共有が可能な移動通信装置として登録する。
【００５２】
第２実施形態による受信部２１０は、第２実施形態による複数個の移動通信装置のうち第１移動通信装置から、第１移動通信装置の移動により発生した移動経路と関連した地理的情報を受信する。地理的情報は、移動経路と関連したウェイポイント情報及びルート情報を含む。
【００５３】
第２実施形態によるサーバー移動経路関連情報生成部２２０は、第２実施形態による受信部２１０が受信した地理的情報、及び移動経路と関連した付加情報を含む第１移動通信装置の移動経路関連情報を生成する。すなわち、ウェイポイント情報及びルート情報を含み、移動経路と関連した付加情報を含む移動経路関連情報が生成される。
【００５４】
第２実施形態による受信部２１０が、第２実施形態による第１移動通信装置から、第１移動通信装置の移動経路と関連した付加情報を受信した場合、第２実施形態によるサーバー移動経路関連情報生成部２２０は、受信されたウェイポイント情報、ルート情報と共に受信された付加情報を含む移動経路関連情報を生成する。
【００５５】
第２実施形態による受信部２１０は、第２実施形態による第１移動通信装置から、第１移動通信装置の移動経路と関連した付加情報の生成要請を受信する。この場合、第２実施形態によるサーバー移動経路関連情報生成部２２０は、第２実施形態による受信部２１０が受信したウェイポイント情報及びルート情報に基づいて、第１移動通信装置の移動経路と関連した付加情報を生成する。
【００５６】
第２実施形態によるサーバー移動経路関連情報生成部２２０は、生成された付加情報と共に、第２実施形態による受信部２１０が受信したウェイポイント情報及びルート情報を含む第１移動通信装置の移動経路関連情報を生成する。
【００５７】
第２実施形態によるサーバー移動経路関連情報生成部２２０は、第１移動通信装置の移動経路と関連した付加情報を生成するために、ウェブを通じて該データを検索する。または、第２実施形態によるサーバー移動経路関連情報生成部２２０は、移動経路共有サービスを提供するサービス提供者の付加情報サーバーから、該移動経路と関連した各種の付加情報をダウンロードしてもよい。また、移動経路と関連した付加情報は、ウェブを通じて検索されたデータについてのタグ情報をさらに含んでもよい。
【００５８】
第２実施形態による移動経路と関連した付加情報は、第１移動通信装置の移動経路関連情報を、第２中央サーバー２００に連結された相手側の移動通信装置が受信する時点に更新される。更新された付加情報は、第２中央サーバー２００へ伝送されて、第２実施形態による中央サーバー２００を通じて相手側の移動通信装置に伝達される。
【００５９】
第２実施形態によるサーバー移動経路関連情報伝送部２３０は、受信された第１移動通信装置の移動経路関連情報を、第２中央サーバー２００と連結された複数個の移動通信装置のうち少なくとも一つの移動通信装置へ伝送する。
【００６０】
第２実施形態による第２中央サーバー２００は、複数個の移動通信装置のうち少なくとも一つの第２移動通信装置から、第１移動通信装置の移動経路関連情報の伝送を要請されもする。第２実施形態による移動経路関連情報伝送部２３０は、第２移動通信装置の要請によって、第２中央サーバー２００が生成した第１移動通信装置の移動経路関連情報を第２移動通信装置に伝達する。
【００６１】
または、第２実施形態によるサーバー移動経路関連情報伝送部２３０は、第２中央サーバー２００により生成された第１移動通信装置１００の移動経路関連情報を第２移動通信装置へリアルタイムで伝送する。
【００６２】
第２中央サーバー２００は、第２実施形態によるサーバー移動経路関連情報生成部２２０により生成された第１移動通信装置の移動経路関連情報を移動通信装置別のデータベースに保存する。
【００６３】
第２中央サーバー２００は、第１移動通信装置データベースに保存される移動経路関連情報の移動経路を移動経路ヒストリーに登録する。
【００６４】
第２実施形態によるサーバー移動経路関連情報生成部２２０は、新たな移動経路についての第３移動経路関連情報を生成した場合、移動経路ヒストリーに登録された既存の移動経路のうち、第３移動経路関連情報の第３移動経路と類似した範囲に含まれる第４移動経路が登録されているか否かを判断する。
【００６５】
第２実施形態によるサーバー移動経路関連情報生成部２２０が、第３移動経路と類似した第４移動経路が移動経路ヒストリーに登録されていないと決定すれば、第２中央サーバー２００は、第３移動経路を移動経路ヒストリーに新たに登録する。第２中央サーバー２００は、新たに登録された第３移動経路についての統計データを生成する。
【００６６】
第２実施形態によるサーバー移動経路関連情報生成部２２０が、第３移動経路と類似した第４移動経路が移動経路ヒストリーに登録されていると決定すれば、第２中央サーバー２００は、第３移動経路に基づいて、第４移動経路の統計データの累積データを更新する。また、第２中央サーバー２００は、第４移動経路の累積データによる統計値を更新する。
【００６７】
第２実施形態によるサーバー移動経路関連情報生成部２２０は、第１移動通信装置の第３移動経路が現在の第４移動経路に沿って進むか否かをリアルタイムで比較して判断する。第２実施形態によるサーバー移動経路関連情報生成部２２０は、第３移動経路関連情報のうち、ウェイポイント情報及びルート情報のうち少なくとも一つに基づいて、第４移動経路関連情報のうち、ウェイポイント情報及びルート情報を比較する。
【００６８】
例えば、第３移動経路関連情報のうち、ウェイポイント情報及びルート情報のうち少なくとも一つによる経路、座標及び速度のうち少なくとも一つが、第４移動経路関連情報のうち、ウェイポイント情報及びルート情報についての正規分布を離脱するか否かが、移動経路離脱判定のための判断要素となる。
【００６９】
第２実施形態によるサーバー移動経路関連情報生成部２２０の移動経路リアルタイム比較判断結果、第３移動経路が第４移動経路に沿って進むと決定されれば、現在の更新された第３移動経路に基づいて、第４移動経路の統計データが更新される。
【００７０】
第２実施形態によるサーバー移動経路関連情報生成部２２０の移動経路リアルタイム比較判断の結果、第３移動経路が第４移動経路を離脱すると決定されれば、第２中央サーバー２００は、移動経路離脱知らせ情報を第１移動通信装置へ伝送する。
【００７１】
第１移動通信装置のユーザーの入力により、第３移動経路が正常の移動経路関連情報に変更されるように設定されれば、第２中央サーバー２００は、第３移動経路に基づいて、第４移動経路の統計データの累積データを更新する。
【００７２】
第２中央サーバー２００がホームサーバーである場合、第１移動通信装置及び第２移動通信装置のそれぞれのユーザーは、家族、業務同僚などの所定のグループの構成員である。
【００７３】
第２実施形態による受信部２１０は、複数個の移動通信装置のうち少なくとも一つから受信された移動経路関連情報の移動経路を移動経路ヒストリーに登録する。これによって、第２中央サーバー２００は、複数個の移動通信装置から受信された移動経路関連情報に基づいて、第５移動経路についての統計データを生成する。
【００７４】
第２実施形態による受信部２１０が、第１移動通信装置から第６移動経路関連情報を受信する場合、第２中央サーバー２００は、移動経路ヒストリーに登録されている他の複数個の移動通信装置の移動経路のうち、第５移動経路が第６移動経路と類似していると判断する場合、第２中央サーバー２００は、第６移動経路についての統計データに基づいて、第５移動経路についての統計データを更新する。
【００７５】
また、第２中央サーバー２００は、複数個の移動通信装置により累積された移動経路関連情報に基づいて、第２移動通信装置に推薦する移動経路関連情報を生成する。例えば、第２中央サーバー２００は、第５移動経路についての統計データを分析して、第５移動経路との最短距離経路、大衆交通移動方法、交通状況に基づいた最短時間経路、及び地域名所などについての情報を含む推薦移動経路関連情報を生成する。したがって、第２中央サーバー２００は、移動経路ヒストリーに登録されている第５移動経路と第６移動経路とが類似していると判断する場合、第６移動経路のために第５移動経路の推薦移動経路関連情報を伝送する。
【００７６】
図３は、本発明の実施形態によって、複数個の移動通信装置間の移動経路関連情報共有が可能な移動通信装置のうち、移動経路関連情報を提供されて共有する第２移動通信装置のブロック図である。
【００７７】
本発明の実施形態による移動経路関連情報を提供されて共有する第２移動通信装置３０は、移動経路関連情報受信部３１及び移動経路案内部３２を備える。第２移動通信装置３０は、図１を参照して前述した第１実施形態による第１移動通信装置１００についての第２移動通信装置であってもよく、図２を参照して前述した第２実施形態による中央サーバー２００についての第２移動通信装置であってもよい。
【００７８】
移動経路関連情報受信部３１は、複数個の移動通信装置が連結された中央サーバーから、第１移動通信装置１００の移動により発生した移動経路関連情報を受信する。第１実施形態による共有ネットワークの場合、移動経路関連情報受信部３１は、第１実施形態による第１移動通信装置１００により生成された移動経路関連情報を受信する。第２実施形態による共有ネットワークの場合、移動経路関連情報受信部３１は、第２中央サーバー２００により生成された第１移動通信装置の移動経路関連情報を受信する。
【００７９】
本発明の実施形態による第２移動通信装置３０は、第１実施形態による中央サーバーまたは第２実施形態による中央サーバー２００に対して、第１移動通信装置の移動経路関連情報を提供することを要請する。これによって、移動経路関連情報受信部３１は、第１実施形態による中央サーバーまたは第２実施形態による中央サーバー２００を経て、リアルタイムで伝送されてくる第１移動通信装置の移動経路関連情報を受信する。
【００８０】
また、本発明の実施形態による第２移動通信装置３０は、第１実施形態による第１移動通信装置１００に対して、第１移動通信装置の移動経路関連情報を提供することを要請する。これによって、移動経路関連情報受信部３１は、第１実施形態による第１移動通信装置１００から直接伝送されてくる第１移動通信装置１００の移動経路関連情報を受信することも可能である。
【００８１】
移動経路案内部３２は、受信された第１移動通信装置の移動経路関連情報を共有し、共有された移動経路関連情報を利用して移動経路案内を行う。
【００８２】
本発明の実施形態による移動経路関連情報は、ウェイポイント情報、ルート情報、及び付加情報を含む。移動経路案内部３２は、移動経路関連情報のうちウェイポイント情報及びルート情報に基づいて、現在の第２移動通信装置３０の移動経路が第１移動通信装置の移動経路に沿って進むか否かを判断する。移動経路案内部３２は、第２移動通信装置３０の現在の移動経路が共有された移動経路を離脱する場合、移動経路離脱知らせ動作を行う。例えば、第２移動通信装置３０は、移動経路離脱を表す警告音または振動を出すか、またはディスプレイ画面上に警告窓を表示する。
【００８３】
移動経路案内部３２は、移動経路関連情報のうち付加情報に基づいて、現在の移動経路についての最短距離経路、大衆交通移動方法、交通状況に基づいた最短時間経路、及び地域名所などを提案する。例えば、移動経路案内部３２は、ウェブを通じて所定の移動経路で利用可能な大衆交通及び停留所などについての情報を得る。一実施形態による移動経路案内部３２は、第１移動通信装置１００の移動経路に対応する最短距離経路、大衆交通移動方法、交通状況に基づいた最短時間経路、及び地域名所などの推薦移動経路関連情報をインターネットから直接獲得することも可能である。
【００８４】
また、移動経路案内部３２は、第２中央サーバー２００から受信した推薦移動経路関連情報に基づいて、現在の移動経路についての最短距離経路、大衆交通移動方法、交通状況に基づいた最短時間経路、及び地域名所のうち少なくとも一つを提案することも可能である。
【００８５】
本発明の実施形態による第１移動通信装置及び第２移動通信装置は区別して前述したが、移動経路関連情報を提供する個体及び移動経路関連情報を提供される個体が必ずしも分離されているものではない。
【００８６】
例えば、一つの移動通信装置に、第１移動通信装置及び第２移動通信装置のあらゆる構成要素が含まれる。所定の移動通信装置は、第１移動通信装置の構成要素を通じて獲得された第１移動経路関連情報を共有するために、中央サーバーへ移動経路関連情報を伝送し、また、第２移動通信装置のあらゆる構成要素を通じて、中央サーバーと連結された他の移動通信装置と共有される移動経路関連情報を受信して共有してもよい。
【００８７】
活動領域が類似したグループ構成員の間には、活動領域内での移動経路が類似している。構成員のうち一人でも経験上近道を知っているならば、グループ構成員の間に近道についての情報を共有することが望ましい。したがって、本発明の実施形態によって、複数個の移動通信装置が連結された中央サーバーを通じて、移動経路関連情報を共有する移動通信装置を利用すれば、近道を開拓した人の移動経路による情報が構成員の間に共有される。
【００８８】
また、中央サーバー２００を通じて、一つの構成員の移動経路についての情報が他の構成員に共有されるので、遠距離に位置した構成員の間にも、移動経路についての情報の共有が容易に行われ、地図のような地理的情報だけでなく、映像データ、住所情報のように、地理的位置を説明するための多様なフォーマットの付加情報を複合的に考慮して、地理的情報を表現できるので、移動経路を見やすくて直観的に表現できる。
【００８９】
また、移動経路関連情報についての統計データを累積し、累積された統計データを利用した統計的分析を通じて、正確な移動経路関連情報を蓄積して、正確な移動経路関連情報が生成されて共有される。
【００９０】
図４は、本発明の第１実施形態によって、中央サーバーを通じた複数個の移動通信装置間の移動経路関連情報の共有ネットワークを示す。
【００９１】
第１実施形態による共有ネットワーク３００は、第１ユーザー３１０、中央サーバー３２０、及び第２ユーザー３３０を備える。第１ユーザー３１０は、図１を参照して前述した第１移動通信装置１００を所持し、第２ユーザー３３０は、図３を参照して前述した第２移動通信装置３０を所持する。中央サーバー３２０は、図１を参照して前述した中央サーバーに対応する。
【００９２】
第１ユーザー３１０の第１移動通信装置１００は、携帯電話３１２またはナビゲーション３２４である。同様に、第２ユーザー３３０が所持した移動経路案内が可能な第２移動通信装置は、携帯電話３３２またはナビゲーション３３４である。第１ユーザー３１０及び第２ユーザー３３０は、家族構成員のように所定のグループの構成員である。
【００９３】
第１移動通信装置３１２，３１４を所持した第１ユーザー３１０の移動経路によって、第１移動通信装置３１２，３１４は、移動経路関連情報を生成する（ステップ３１５）。移動経路関連情報の生成時、移動経路と関連した各種の付加情報３１６が利用される。
【００９４】
移動経路と関連した付加情報３１６は、第１移動通信装置３１２，３１４についての第１ユーザー３１０の入力により生成されるデータ、及びウェブ３４０を通じてダウンロードされたデータなどを含む。例えば、第１ユーザー３１０の入力により、現在の地点を指す通常的地名、隣近地域名所の名称、行政的住所などについての情報が生成される。
【００９５】
また、移動経路のうち大衆交通についての情報、移動経路のうち名所についての情報、道路状況についての情報、移動経路の状態変更アップデート情報などの付加情報３１６が、第１移動通信装置３１２，３１４の移動経路関連情報に追加されてもよい。付加情報３１６は、ウェブ３４０を通じてダウンロードまたは更新される。
【００９６】
第１移動通信装置１００は、ウェブ３４０上の共用資料を検索して、付加情報を獲得する。また、第１移動通信装置１００は、移動経路共有サービスの提供者が運用する移動経路と関連した付加情報を提供するための別途のサーバーから付加情報を獲得してもよい。
【００９７】
第１ユーザー３１０の移動経路関連情報は、同じ生活圏に居住する他の家族構成員に有用であると判断されるので、第１ユーザー３１０は、第１移動通信装置３１２，３１４が生成した移動経路関連情報を中央サーバー３２０へ伝送する（ステップ３１７）。
【００９８】
第１実施形態による中央サーバー３２０は、第１ユーザー３１０の第１移動通信装置３１２，３１４から受信された移動経路関連情報を、第２ユーザー３３０の第２移動通信装置３３２，３３４に伝達する（ステップ３２５）。この場合、第２ユーザー３３０の第２移動通信装置３３２，３３４が、第１ユーザー３１０との移動経路関連情報の共有を要請する呼び出しを中央サーバー３２０へ伝送することで、中央サーバー３２０が第２移動通信装置３３２，３３４へ第１ユーザー３１０の移動経路関連情報を伝送してもよい。
【００９９】
第２ユーザー３３０は、中央サーバー３２０から受信された第１ユーザー３１０の移動経路関連情報を利用して、第１ユーザー３１０の移動経路によって経路案内を行う（ステップ３３５）。第２ユーザー３３０の第２移動通信装置３３２，３３４の移動経路の案内による結果を、中央サーバー３２０にフィードバックすることも可能である（ステップ３３７）。
【０１００】
すなわち、第２ユーザー３３０の第２移動通信装置３３２，３３４の移動経路の案内によって、第１移動通信装置３１２，３１４の移動経路関連情報、及びそれと関連した統計データを更新することを中央サーバー３２０に要請してもよく、第２移動通信装置３３２，３３４により直接獲得された新たな移動経路関連情報が、第１実施形態による共有ネットワーク上の構成員の間に共有されるように中央サーバー３２０へ伝送してもよい。
【０１０１】
図５は、本発明の第２実施形態によって、中央サーバーを通じた複数個の移動通信装置間の移動経路関連情報の共有ネットワークを示す。
【０１０２】
第２実施形態による共有ネットワーク３５０は、第１ユーザー３６０、中央サーバー３７０、及び第２ユーザー３３０を備える。第１ユーザー３６０は、図２を参照して前述した第１移動通信装置を所持し、第２ユーザー３３０は、図３を参照して前述した第２移動通信装置３０を所持する。中央サーバー３７０は、図２を参照して前述した第２中央サーバー２００に対応する。第１ユーザー３６０の第１移動通信装置は、携帯電話３６２またはナビゲーション３６４である。
【０１０３】
図２を参照して前述した第１移動通信装置を所持した第１ユーザー３６０の移動経路によって、第１移動通信装置３６２，３６４は、移動経路と関連したウェイポイント情報及びルート情報を中央サーバー３７０へ伝送する（ステップ３６５）。
【０１０４】
中央サーバー３７０は、第１移動通信装置３６２，３６４から受信されたウェイポイント情報及びルート情報を利用して、第１ユーザー３６０の移動経路関連情報を生成する（ステップ３７５）。移動経路関連情報は、移動経路と関連した各種の付加情報３６６，３７６を含む。
【０１０５】
第２実施形態による中央サーバー３７０は、第１移動通信装置から移動経路と関連した付加情報３６６を受信する。中央サーバー３７０は、第１移動通信装置から移動経路と関連した付加情報の生成要請を受信することも可能である。
【０１０６】
第２実施形態による中央サーバー３７０は、ウェブ３４０上の共用資料を検索して、付加情報３７６を獲得する。また、中央サーバー３７０は、移動経路と関連した付加情報サーバーから付加情報３７６を獲得することも可能である。
【０１０７】
第２実施形態による中央サーバー３７０は、第１移動通信装置３６２，３６４の移動経路関連情報を生成した後、第２移動通信装置３３２，３３４へ伝送する（ステップ３７７）。この場合、第２ユーザー３３０の第２移動通信装置３３２，３３４が、第１ユーザー３６０との移動経路関連情報の共有を要請する呼び出しを中央サーバー３７０へ伝送することで、中央サーバー３７０が第２移動通信装置３３２，３３４へ自体的に生成した第１ユーザー３６０の移動経路関連情報を伝送してもよい。
【０１０８】
第２ユーザー３３０は、中央サーバー３７０から受信された第１ユーザー３６０の移動経路関連情報を利用して、第１ユーザー３６０の移動経路によって経路案内を行う（ステップ３８５）。第２ユーザー３３０の第２移動通信装置３３２，３３４の移動経路の案内による結果を、中央サーバー３７０にフィードバックしてもよい（ステップ３８７）。すなわち、第２ユーザー３３０の第２移動通信装置３３２，３３４の移動経路の案内によって、第１移動通信装置３６２，３６４の移動経路関連情報、及びそれと関連した統計データを更新することを中央サーバー３７０に要請してもよく、第２移動通信装置３３２，３３４により直接獲得された新たな移動経路関連情報が、第２実施形態による共有ネットワーク上の構成員の間に共有されるように中央サーバー３７０へ伝送してもよい。
【０１０９】
以下、図６ないし図１３を参照して、本発明の実施形態による移動経路関連情報について述べる。本発明の第１実施形態による移動経路共有ネットワーク、及び第２実施形態による移動経路共有ネットワークについて共通して、第１移動通信装置の移動によって発生した移動経路と関連したウェイポイント情報、ルート情報、及び付加情報を含む移動経路関連情報が利用される。
【０１１０】
図６、図７、図８及び図９は、本発明の実施形態による移動経路関連情報の共有方法を示す。
【０１１１】
第１実施形態及び第２実施形態による移動経路関連情報の共有ネットワークにおいて、中央サーバー４００は、第１移動通信装置４１０を移動経路共有装置として登録する。第１移動通信装置４１０の第１ユーザーは、中央サーバー４００により移動経路関連情報の共有を認証される。中央サーバー４００は、第１ユーザーの業務同僚に移動経路関連情報の共有を認証する業務サーバーであることを仮定して後述する。
【０１１２】
第１実施形態による共有ネットワークの場合、第１移動通信装置４１０は、第１ユーザーが業務出張のために事務室から第１出張場所まで移動した移動経路に関する地理的情報４２０を含む移動経路関連情報を生成して、中央サーバー４００へ伝送する。
【０１１３】
事務室から本社までの移動経路に関する地理的情報４２０は、ＧＰＳ信号により獲得されたウェイポイント情報及びルート情報を含む。第１実施形態による共有ネットワークによる場合、第１移動通信装置４１０は、ユーザーの業務同僚の業務活動領域内での移動経路関連情報を獲得する度に、中央サーバー４００へ伝送する。例えば、第１移動通信装置４１０は、事務室から本社までの移動経路に関する地理的情報４２０、事務室から取引銀行までの移動経路に関する地理的情報４２２、バスターミナルから地方分社までの移動経路に関する地理的情報４２４を含む移動経路関連情報を生成して、中央サーバー４００へ伝送する。
【０１１４】
第２実施形態による共有ネットワークの場合、第１移動通信装置４１０は、第１ユーザーが移動経路別に地理的情報４２０，４２２，４２４を中央サーバー４００へ伝送する。第２実施形態による中央サーバー４００は、移動経路別に受信された地理的情報４２０，４２２，４２４を含む移動経路関連情報を生成する。
【０１１５】
第１実施形態及び第２実施形態による共有ネットワークで共通して、第２移動通信装置４３０は、中央サーバー４００から伝送された移動経路関連情報を受信する。例えば、第２移動通信装置４３０が中央サーバー４００から、第１ユーザーの第１業務同僚の移動経路による事務室から本社までの移動経路関連情報、事務室から取引銀行までの移動経路関連情報、バスターミナルから地方分社までの移動経路関連情報のうち少なくとも一つを選択的に受信してもよい。
【０１１６】
第２移動通信装置４３０は、共有された移動経路についての地理的情報４２０を含む移動経路関連情報に基づいて経路案内を行って移動しつつ、共有された移動経路についての地理的情報４２０が指す移動経路４４０と、第２移動通信装置４３０の現在の移動経路４５０とを比較する。現在の移動経路４５０と、共有された移動経路４４０とが一致しない場合、第２移動通信装置４３０は、現在の移動経路４５０が共有された移動経路４４０を離脱していることを知らせる移動経路離脱知らせ動作を行う。
【０１１７】
中央サーバー４００を通じて、第１移動通信装置４１０と第２移動通信装置４３０との移動経路に関する地理的情報を共有するので、構成員の移動経路採択頻度数を考慮した移動経路のデータベースが構築され、より安定した共有サービスが可能である。
【０１１８】
図１０、図１１及び図１２は、本発明の実施形態によって、付加情報を含む移動経路関連情報の共有方法を示す。
【０１１９】
第１移動通信装置５００は、第１移動通信装置５００に搭載されたカメラ装置を利用して、ランドマークとなる被写物を撮影する。ランドマークとなる被写物は、建物、銅像、橋などの構造物、木・山・川などの自然名物、及び標識板などとなり、特定の事物に限定されない。
【０１２０】
第１移動通信装置５００の経路移動中、ユーザーがランドマークとして有名な銅像の写真を撮って、銅像の映像データ５０５が獲得される。また、第１移動通信装置５００は、経路移動途中で接近可能な有名な建物、橋の映像を撮影して、建物の映像データ５０７及び橋の映像データ５０９を獲得する。
【０１２１】
第１実施形態による移動経路共有ネットワークによる場合、第１移動通信装置５００は、現在の移動経路中で撮影して獲得した銅像の映像データ５０５、建物の映像データ５０７、及び橋の映像データ５０９などの付加情報、及び現在の移動経路についての地理的情報５２０を含む移動経路関連情報を生成して、中央サーバー５１０へ伝送する。
【０１２２】
第２実施形態による移動経路共有ネットワークによる場合、第１移動通信装置５００は、現在の移動経路についての地理的情報５２０と共に、現在の移動経路中で撮影して獲得した銅像の映像データ５０５、建物の映像データ５０７、及び橋の映像データ５０９などの付加情報を中央サーバー５１０へ伝送する。これによって、中央サーバー５１０は、受信された地理的情報５２０及び付加情報５０５，５０７，５０９を含む移動経路関連情報を生成できる。
【０１２３】
第２移動通信装置５３０は、第１移動通信装置５００のユーザーまたは中央サーバー５１０から移動経路関連情報への接近を許諾され、中央サーバー５１０を通じて移動経路についての情報５４０を受信する。この場合、移動経路関連情報５４０は、地理的情報５２０の移動経路５２５に沿って、銅像の位置に銅像の映像データ５０５が挿入され、建物の位置に建物の映像データ５０７が挿入され、橋の位置に橋の映像データ５０９が挿入された集合的データである。映像データのサイズまたは解像度によって、原本の地理的情報のランドマークの位置に、該ランドマークと関連した付加情報が直接挿入されがたい場合には、地理的情報上のランドマークの位置にランドマークの映像データが連結されるリンクが設定されるか、またはタグ情報が挿入される。
【０１２４】
したがって、実施形態による移動経路共有ネットワーク３００，３５０によって、移動経路を最初に探すユーザーまたは地図を容易に理解できないユーザーに、位置情報と共に与えられたランドマークの映像など付加情報が与えられるので、従来のＧＰＳ信号による地図情報のみを利用した経路案内方式に比べて、ユーザーがより容易で便利に経路案内による。
【０１２５】
図１３は、本発明の実施形態によって、移動経路ヒストリーに登録された経路を比較及び更新する方法を示す。
【０１２６】
以下、図１３を参照して説明する移動経路ヒストリーと関連した動作は、第１実施形態による第１移動通信装置１００、及び第２実施形態による中央サーバー２００に対して共通して適用される。
【０１２７】
ステップ１３１０で、第１移動経路関連情報が新たに生成または受信される。
【０１２８】
ステップ１３２０で、移動経路ヒストリーに登録された既存の移動経路のうち、第１移動経路関連情報の第１移動経路と類似した範囲に含まれる第２移動経路が登録されているか否かが判断される。
【０１２９】
ステップ１３２０の判断結果によって、第１移動経路と類似した第２移動経路が移動経路ヒストリーに登録されていなければ、ステップ１３３０で、第１移動経路は、移動経路ヒストリーに新たに登録される。新たに登録された第１移動経路についての統計データも生成される。
【０１３０】
ステップ１３２０の判断結果によって、第１移動経路と類似した第２移動経路が移動経路ヒストリーに登録されていれば、ステップ１３４０で、第１移動経路に基づいて、第２移動経路の統計データの累積データが更新される。また、累積データによって、統計値も更新される。この時、第２移動経路と類似した新規移動経路の保存回数が増加するにつれて、第２移動経路の統計データ及び統計値に対する信頼度が向上する。
【０１３１】
ステップ１３５０で、現在の第１移動経路が第２移動経路に沿って進むか否かがリアルタイムで比較して判断される。第２移動経路による経路、座標及び速度についての正規分布が、移動経路離脱判定のための判断要素となる。例えば、第１移動経路関連情報のうち、ウェイポイント情報及びルート情報のうち少なくとも一つに基づいて、第１移動経路、座標及び速度のうち少なくとも一つが、第２移動経路の正規分布を離脱すれば、現在の第１移動経路が第２移動経路を離脱することを判断できる。
【０１３２】
ステップ１３５０の移動経路リアルタイム比較判断結果によって、第１移動経路が第２移動経路を離脱しなければ、ステップ１３４０に戻って、現在の移動経路によって、再び第２移動経路の統計データが更新される。
【０１３３】
ステップ１３５０の移動経路リアルタイム比較判断結果によって、第１移動経路が第２移動経路を離脱すれば、ステップ１３６０で、移動経路離脱知らせ動作が行われるか、または移動経路離脱知らせ情報が伝送される。
【０１３４】
ステップ１３７０で、第１移動通信装置のユーザーから、現在の第１移動経路が正常の移動経路であることを確認する信号が入力されれば、第１移動経路に基づいて、第２移動経路の統計データの累積データが更新されもする。
【０１３５】
本発明の実施形態によれば、ステップ１３２０で、第１移動経路と第２移動経路とがどの程度類似しているか判断するための判断基準と、ステップ１３５０で、現在の第１移動経路が第２移動経路に沿って進むか否かリアルタイムで比較する判断基準とは、互いに独立して設定される。例えば、ステップ１３５０の判断基準が、ステップ１３２０の判断基準に比べて厳格である。
【０１３６】
また、移動経路関連情報を共有する複数個の移動通信装置の移動経路が、いずれも移動経路ヒストリーに登録される。この場合、移動経路ヒストリーに登録された他の移動通信装置の移動経路と、現在の移動通信装置の移動経路とを比較して、類似した範囲であると判断されれば、移動経路ヒストリーに登録された他の移動通信装置の移動経路についての統計データが更新されもする。
【０１３７】
図１４は、本発明の第１実施形態によって、複数個の移動通信装置間の移動経路の共有のために、移動経路関連情報を生成する方法のフローチャートである。
【０１３８】
ステップ１４１０で、中央サーバーに複数個の移動通信装置が連結されている場合、第１移動通信装置が移動するにつれて発生した移動経路についての移動経路関連情報が生成される。
【０１３９】
移動経路関連情報のうち、ウェイポイント情報及びルート情報は、ＧＰＳ信号による位置情報及び座標情報などの地理的情報を含む。移動経路関連情報のうち、付加情報は、移動経路に関連した行政的住所、通常的地名、隣近地域名所の名称、大衆交通手段の基準点情報、複数個の移動通信装置の中継所範囲情報、位置設定情報、交通状況のように、移動経路上の所定の地点を指すための各種の補充的なデータを含む。また、移動経路関連情報のうち、付加情報は、移動経路と関連して、第１移動通信装置のカメラ装置を通じて撮影された映像データのように、各種のテキストデータ、音声データ、映像データ、及びビデオデータを含む。付加情報は、ユーザーの入力により生成されるか、またはウェブを通じてダウンロードされる。
【０１４０】
ステップ１４２０で、第１移動通信装置の移動経路関連情報が中央サーバーへ伝送される。第２移動通信装置の要請により、第１移動通信装置の移動経路関連情報が中央サーバーから第２移動通信装置へ伝送される。また、第１移動通信装置の移動経路関連情報が第２移動通信装置へ直接伝送されてもよい。
【０１４１】
図１５は、本発明の第２実施形態によって、複数個の移動通信装置間の移動経路関連情報の共有のために、中央サーバーが移動経路関連情報を管理する方法のフローチャートである。
【０１４２】
互いに認証されたユーザー間の移動通信装置間に、移動経路関連情報の共有が許容されるように、中央サーバーに複数個の移動通信装置が認証されて、移動経路関連情報の共有が可能な移動通信装置として登録される。
【０１４３】
ステップ１５１０で、複数個の移動通信装置のうち第１移動通信装置から、第１移動通信装置の移動により発生した移動経路と関連した地理的情報が受信される。移動経路と関連した地理的情報は、ウェイポイント情報及びルート情報を含む。第１移動通信装置の移動経路関連情報は、第１移動通信装置のユーザーの経験を基盤とする移動経路であってもよい。
【０１４４】
ステップ１５２０で、受信された地理的情報を含み、第１移動通信装置の移動経路と関連した付加情報を含む第１移動通信装置の移動経路関連情報が生成される。第１移動通信装置から移動経路と関連した付加情報が受信された場合、中央サーバーが受信されたウェイポイント情報、ルート情報、及び付加情報を利用して、第１移動通信装置の移動経路関連情報を生成する。
【０１４５】
第１移動通信装置から付加情報の生成要請が受信された場合、受信されたウェイポイント情報及びルート情報に基づいて、中央サーバーが付加情報を生成するか、またはウェブから検索することも可能である。この場合、中央サーバーは、生成された付加情報と共に、受信されたウェイポイント情報及びルート情報を利用して、第１移動通信装置の移動経路関連情報を生成できる。
【０１４６】
ステップ１５３０で、第１移動通信装置の移動経路関連情報が、複数個の移動通信装置のうち第２移動通信装置へ伝送される。これによって、中央サーバーを通じて、第１移動通信装置と第２移動通信装置との間に移動経路についての情報が生成、管理及び共有される。
【０１４７】
図１６は、本発明の実施形態によって、複数個の移動通信装置間の移動経路関連情報の共有によって、移動経路関連情報を提供されて共有する方法のフローチャートである。
【０１４８】
ステップ１６１０で、複数個の移動通信装置のうち第２移動通信装置が、中央サーバーから、複数個の移動通信装置のうち第１移動通信装置の移動により発生した移動経路に関する移動経路関連情報を受信する。第１移動通信装置により保存された移動経路関連情報は、第１移動通信装置が通過した移動経路と関連したウェイポイント情報、ルート情報、及び付加情報を含む。中央サーバーには、第１移動通信装置及び第２移動通信装置を含む複数の移動通信装置が連結されている。
【０１４９】
第２移動通信装置は、中央サーバーを通じて、第１移動通信装置または中央サーバーに移動経路の共有を要請し、第２移動通信装置の要請によって、第１移動通信装置の移動経路についての情報が、第１移動通信装置または中央サーバーから第２移動通信装置へ伝送される。
【０１５０】
ステップ１６２０で、受信された第１移動通信装置の移動経路関連情報に基づいて、第２移動通信装置の移動経路案内が行われる。第２移動通信装置の現在の移動経路が第１移動通信装置の移動経路を離脱する場合、警告音を出す。
【０１５１】
一実施形態による移動経路情報共有方法によれば、最短距離の検索のための公式またはアルゴリズムにより検索される移動経路ではない、個人の経験に基づく移動経路についての情報が共有されるので、類似した生活領域または活動領域の人に信頼感を与えて、実質的に有用な移動経路関連情報が提供される。
【０１５２】
一方、前述した本発明の実施形態は、コンピュータで実行されるプログラムで作成可能であり、コンピュータで読み取り可能な記録媒体を利用して、前記プログラムを動作させる汎用デジタルコンピュータで具現される。前記コンピュータで読み取り可能な記録媒体は、磁気記録媒体（例えば、ＲＯＭ、フロッピー（登録商標）ディスク、ハードディスクなど）、光学的読み取り媒体（例えば、ＣＤ−ＲＯＭ、ＤＶＤなど）のような記録媒体を含む。
【０１５３】
以上、本発明について、その望ましい実施形態を中心に述べた。当業者は、本発明が本質的な特性から逸脱しない範囲で、変形された形態に具現可能であるということを理解できるであろう。したがって、開示された実施形態は、限定的な観点ではなく、説明的な観点で考慮されねばならない。本発明の範囲は、前述した説明ではなく、特許請求の範囲に表れており、それと同等な範囲内にあるあらゆる相違点は、本発明に含まれていると解釈されねばならない。
【符号の説明】
【０１５４】
１００、３０・・・移動通信装置
１１０・・・移動経路関連情報生成部
１２０・・・移動経路関連情報保存部
１３０・・・移動経路関連情報伝送部
２００・・・中央サーバー
２１０・・・受信部
２２０・・・サーバー移動経路関連情報生成部
２３０・・・サーバー移動経路関連情報伝送部
３１・・・移動経路関連情報受信部
３２・・・移動経路案内部
【図１】
2013502576.tif 000003
【図２】
2013502576.tif 000004
【図３】
2013502576.tif 000005
【図４】
2013502576.tif 000006
【図５】
2013502576.tif 000007
【図６】
2013502576.tif 000008
【図７】
2013502576.tif 000009
【図８】
2013502576.tif 000010
【図９】
2013502576.tif 000011
【図１０】
2013502576.tif 000012
【図１１】
2013502576.tif 000013
【図１２】
2013502576.tif 000014
【図１３】
2013502576.tif 000015
【図１４】
2013502576.tif 000016
【図１５】
2013502576.tif 000017
【図１６】
2013502576.tif 000018
【国際調査報告】
2013502576.tif 000019
2013502576.tif 000020